(57)【特許請求の範囲】
【請求項１】
検索キーワードを受け付ける検索画面と、操作入力を受け付けるための複数の入力画面とを含む複数の画面のうちのいずれかを表示し、前記表示された画面に応じて操作入力を受け付ける操作表示部と、
前記複数の入力画面と前記検索画面とを表示するための画面データを記憶する記憶部と、
前記検索キーワードに応じて前記画面データを検索し、前記検索結果に基づいて前記複数の入力画面のうちのいずれか１つを前記操作表示部に表示させる制御部と、
を備え、
前記制御部は、前記検索結果に基づいて表示された入力画面を使用して入力が受け付けられた場合には、前記検索結果に基づいて表示された入力画面を表示するための操作入力を受け付けるためのアイコンと、前記検索結果に基づいて表示された入力画面で選択された内容を選択するためのアイコンとを前記検索画面に追加し、前記検索結果に基づいて表示された入力画面のうち入力を受け付けた入力画面を使用するための操作入力を削減する電子機器。
【請求項２】
請求項１記載の電子機器であって、
前記検索画面は、前記複数の入力画面のうちの一部の入力画面に遷移するためのアイコンと、前記一部の入力画面以外の入力画面に遷移するためのスクロールアイコンとを含む前記検索画面を表示することが可能であり、
前記制御部は、前記検索画面に含まれているアイコンのいずれかと変更して前記検索画面に含めることによって、前記検索結果に基づいて表示された入力画面の階層を浅くし、前記変更されたアイコンを前記スクロールアイコンを使用して表示可能とするように前記検索画面を変更する電子機器。
【請求項３】
請求項１又は２に記載の電子機器であって、
前記複数の入力画面は、ログインユーザー名の入力を受け付けるログイン画面を含み、
前記制御部は、前記ログインユーザー名を使用した一のログイン中において、前記検索結果に基づいて表示された入力画面を使用して入力が受け付けられた場合には、前記ログインユーザー名を使用する他のログインに応じて前記検索画面の変更を実行する電子機器。
【請求項４】
請求項１乃至３のいずれか１項に記載の電子機器であって、
前記複数の入力画面は、階層化されており、
前記記憶部は、予め設定された初期入力画面を表示するための前記画面データを記憶し、
前記初期入力画面は、前記検索画面に遷移するためのアイコンと、前記複数の入力画面のうちの一部の入力画面に遷移するためのアイコンと、前記一部の入力画面以外の入力画面に遷移するためのスクロールアイコンとを含み、
前記制御部は、前記検索結果に基づいて表示された入力画面を使用して入力が受け付けられた場合には、さらに、前記入力画面を表示するための操作入力を受け付けるためのアイコンを前記初期入力画面に含まれている複数のアイコンのいずれかと変更して前記初期入力画面に含めることによって、前記検索結果に基づいて表示された入力画面の階層を浅くし、前記スクロールアイコンを使用して前記変更されたアイコンを表示可能とするように前記初期入力画面を変更する電子機器。
【請求項５】
請求項４記載の電子機器であって、
前記複数の入力画面は、ログインユーザー名の入力を受け付けるログイン画面を含み、
前記制御部は、前記ログインユーザー名を使用した一のログイン中において、前記検索結果に基づいて表示された入力画面を使用して入力が受け付けられた場合には、前記ログインユーザー名を使用する他のログインに応じて前記初期入力画面の変更を実行する電子機器。
【請求項６】
検索キーワードを受け付ける検索画面と、操作入力を受け付けるための複数の入力画面とを含む複数の画面のうちのいずれかを表示し、前記表示された画面に応じて操作入力を受け付ける操作表示工程と、
前記複数の入力画面と前記検索画面とを表示するための画面データを記憶する記憶工程と、
前記検索キーワードに応じて前記画面データを検索し、前記検索結果に基づいて前記複数の入力画面のうちのいずれか１つを前記操作表示工程で表示させる制御工程と、
を備え、
前記制御工程は、前記検索結果に基づいて表示された入力画面を使用して入力が受け付けられた場合には、前記検索結果に基づいて表示された入力画面を表示するための操作入力を受け付けるためのアイコンと、前記検索結果に基づいて表示された入力画面で選択された内容を選択するためのアイコンとを前記検索画面に追加し、前記検索結果に基づいて表示された入力画面のうち入力を受け付けた入力画面を使用するための操作入力を削減する工程を含む電子機器を制御するための操作表示方法。
【請求項７】
電子機器を制御するための制御プログラムであって、
検索キーワードを受け付ける検索画面と、操作入力を受け付けるための複数の入力画面とを含む複数の画面のうちのいずれかを表示し、前記表示された画面に応じて操作入力を受け付ける操作表示部、
前記複数の入力画面と前記検索画面とを表示するための画面データを記憶する記憶部、及び
前記検索キーワードに応じて前記画面データを検索し、前記検索結果に基づいて前記複数の入力画面のうちのいずれか１つを前記操作表示部に表示させる制御部として前記電子機器を機能させ、
前記制御部は、前記検索結果に基づいて表示された入力画面を使用して入力が受け付けられた場合には、前記検索結果に基づいて表示された入力画面を表示するための操作入力を受け付けるためのアイコンと、前記検索結果に基づいて表示された入力画面で選択された内容を選択するためのアイコンとを前記検索画面に追加し、前記検索結果に基づいて表示された入力画面のうち入力を受け付けた入力画面を使用するための操作入力を削減する制御プログラム。
【発明の詳細な説明】
【技術分野】
【０００１】
本発明は、操作表示装置に関し、詳しくは、複数の表示画面を使用してユーザー入力を受け付ける電子機器（たとえば画像形成装置）に関する。
【背景技術】
【０００２】
典型的な画像形成装置（たとえばプリンター、多機能プリンター、又は複合機（Ｍｕｌｔｉｆｕｎｃｔｉｏｎ  Ｐｅｒｉｐｈｅｒａｌ））は、多機能化に伴ってユーザーインターフェース画面に表示されるメニューの階層も深くなっている。メニューの階層が深くなると、所望の機能に到達するためのアクセスが困難となる。このような問題に対して、特許文献１は、簡単な操作で画面を登録可能とし、この登録された画面について上層の画面からのアクセス手順を示す技術を提供している。
【先行技術文献】
【特許文献】
【０００３】
【特許文献１】特開２０１３−１７５１６４号公報
【発明の概要】
【発明が解決しようとする課題】
【０００４】
しかし、ユーザーインターフェース画面やメニューの階層自体をアクセス容易なものとする観点から十分な検討がなされていなかった。
【０００５】
本発明は、このような状況に鑑みてなされたものであり、ユーザーインターフェース画面やメニューの階層自体をアクセス容易にする技術を提供することを目的とする。
【課題を解決するための手段】
【０００６】
本発明の電子機器は、検索キーワードを受け付ける検索画面と、操作入力を受け付けるための複数の入力画面とを含む複数の画面のうちのいずれかを表示し、前記表示された画面に応じて操作入力を受け付ける操作表示部と、前記複数の入力画面と前記検索画面とを表示するための画面データを記憶する記憶部と、前記検索キーワードに応じて前記画面データを検索し、前記検索結果に基づいて前記複数の入力画面のうちのいずれか１つを前記操作表示部に表示させる制御部とを備える。
【０００７】
本発明の方法は、電子機器を操作するための操作表示方法である。前記操作表示方法は、検索キーワードを受け付ける検索画面と、操作入力を受け付けるための複数の入力画面とを含む複数の画面のうちのいずれかを表示し、前記表示された画面に応じて操作入力を受け付ける操作表示工程と、前記複数の入力画面と前記検索画面とを表示するための画面データを記憶する記憶工程と、前記検索キーワードに応じて前記画面データを検索し、前記検索結果に基づいて前記複数の入力画面のうちのいずれか１つを前記操作表示部に表示させる表示工程とを備える。
【０００８】
本発明のプログラムは、電子機器を制御するための制御プログラムである。前記制御プログラムは、検索キーワードを受け付ける検索画面と、操作入力を受け付けるための複数の入力画面とを含む複数の画面のうちのいずれかを表示し、前記表示された画面に応じて操作入力を受け付ける操作表示部、前記複数の入力画面と前記検索画面とを表示するための画面データを記憶する記憶部、及び前記検索キーワードに応じて前記画面データを検索し、前記検索結果に基づいて前記複数の入力画面のうちのいずれか１つを前記操作表示部に表示させる制御部として前記電子機器を機能させる。
【発明の効果】
【０００９】
本発明によれば、ユーザーインターフェース画面やメニューの階層自体をアクセス容易にするすることができる。
【図面の簡単な説明】
【００１０】
【図１】本発明の第１実施形態に係る画像形成装置の機能構成を示すブロックダイアグラムである。
【図２】第１実施形態に係る画像形成装置における操作手順を示すフローチャートである。
【図３】第１実施形態に係る操作表示部が有するディスプレイのシステムメニュー画面と検索画面の一例を示す説明図である。
【図４】第１実施形態に係る操作表示部の言語設定画面と検索画面の一例を示す説明図である。
【図５】第２実施形態に係る操作手順を示すフローチャートである。
【図６】第２実施形態に係る初期設定におけるメニュー階層の一例を示す説明図である。
【図７】第２実施形態に係るシステムメニュー画面と検索画面の一例を示す説明図である。
【図８】第２実施形態に係る検索後におけるメニュー階層の一例を示す説明図である。
【図９】第２実施形態に係るシステムメニュー画面の変化を示す説明図である。
【発明を実施するための形態】
【００１１】
以下、本発明を実施するための形態（以下、「実施形態」という）を、図面を参照して以下の順序で説明する。
Ａ．第１実施形態：
Ｂ．第２実施形態：
Ｃ．変形例：
【００１２】
Ａ．第１実施形態：
図１は、本発明の第１実施形態に係る画像形成装置１の機能構成を示すブロックダイアグラムである。画像形成装置１は、制御部１０と、画像形成部２０と、操作表示部３０と、記憶部４０と、外部ＩＦ部５０と、ファックス送受信部６０とを備えている。画像形成部２０は、画像データに基づいて印刷用紙に印刷を実行する。操作表示部３０は、ディスプレイ３１と操作処理部３２とを備えている。ディスプレイ３１は、タッチパネルとして機能し、様々なメニューを入力画面として表示する。操作処理部３２は、タッチパネルとして機能するディスプレイ３１や各種ボタンやスイッチ（図示せず）からユーザーの操作入力を受け付ける。外部ＩＦ部５０は、外部メモリー（図示せず）とのアクセスを制御する。ファックス送受信部６０は、ファックス送受信機能を実行する。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他バードウェア等のインターフェイスに関連するコントローラ機能を備え、画像形成装置１全体を制御する。制御部１０は、検索処理部１１と個別設定処理部１２とを備えている。これらの詳細については後述する。
【００１４】
記憶部４０は、非一時的な記録媒体であるハードディスクドライブやフラッシュメモリー等からなる記憶装置で、制御部１０が実行する処理の制御プログラムやデータを記憶する。記憶部４０は、設定値データベース４１（設定値ＤＢとも表記される。）と、ボックス４２とを備えている。設定値データベース４１は、メニューとして機能する複数の入力画面と検索画面（後述）とを表示するための画面データと、各入力画面の全ての設定値とを格納している。設定値データベース４１は、さらに、画面データの一部として、入力画面の属性を表す属性キーワードを入力画面毎に格納している。ボックス４２は、電子文書を格納し、管理するための領域である。
【００１５】
図２は、第１実施形態に係る画像形成装置１における操作手順を示すフローチャートである。図３は、第１実施形態に係る操作表示部３０が有するディスプレイ３１のシステムメニュー画面３１ａと検索画面３１ｂの一例を示す説明図である。
【００１６】
ステップＳ１０では、ユーザーは、画像形成装置１にログインする。ログイン操作は、図示しないログイン画面においてログインユーザー名とパスワードを入力することによって行われる。制御部１０は、ログインに応じてホーム画面（図示せず）を経てディスプレイ３１にシステムメニュー画面３１ａを表示させる（図３(ａ)参照）。ログインは、個人毎にログインすることもできるし、あるいは複数のメンバーを含むグループ毎にログインすることもできる。ここでは、母国語が相違する複数のメンバーを含むグループがログインした場合を仮定する。
【００１７】
システムメニュー画面３１ａは、ログイン後にホーム画面（図示せず）で選択された画面である。システムメニュー画面３１ａは、コピー、共通設定、ファックス、ボックス、外部メモリー及び検索の機能を選択するための６個のアイコン３５ａを有している。システムメニュー画面３１ａは、さらに２個のスクロールアイコン３６ａ、３７ａと、ログアウトボタン３８ａとを有している。スクロールアイコン３６ａは、タッチに応じて画面を左側にスクロールして新たな画面を表示させることができる。スクロールアイコン３７ａは、タッチに応じて画面を右側にスクロールして新たな画面を表示させることができる。ログアウトボタン３８ａは、ログアウトするためのボタンである。
【００１８】
ステップＳ２０では、ユーザーは、検索画面に遷移するための「検索」のアイコン３５ａ１をタッチする。制御部１０は、検索のアイコン３５ａ１へのタッチに応じて、図３(ｂ)に示される検索画面３１ｂをディスプレイ３１に表示させる。検索画面３１ｂは、検索キーワードを入力するための入力フィールド３９ｆと、検索ボタン３９ｂとを有している。
【００１９】
ステップＳ３０では、ユーザーは、検索キーワードとして「言語」を入力する。検索キーワードの入力方法は、たとえば入力フィールド３９ｆをタッチすると、入力フィールド３９ｆの下側にキーボード（図示せず）が表示されて入力可能とするように構成しても良い。キーボードは、日本語等の２バイト文字と、アルファベット等の１バイト文字等を簡易に選択できるようにすることが好ましい。図３(ｂ)に示される一例では、入力フィールド３９ｆには、検索キーワードとして「言語」が入力されている。
【００２０】
ステップＳ４０では、制御部１０の検索処理部１１は、設定値データベース４１を検索する。設定値データベース４１には、各入力画面とその属性を表す属性キーワードが格納されている。具体的には、たとえば言語設定の入力画面である言語設定画面３１ｃのデータベース・レコードは、属性キーワードとして、「言語」や「英語」「イタリア語」「ドイツ語」「スペイン語」「フランス語」「ポルトガル語」といった言語設定画面３１ｃの属性を示す属性キーワードが格納されている。この例では、検索処理部１１による「言語」の検索キーワードによる検索で、言語設定画面３１ｃのみヒットした場合を想定する。属性キーワードは、画像形成装置１での使用が想定されている上述の各言語で格納されていることが好ましい。
【００２１】
ステップＳ５０では、制御部１０は、この検索結果に基づいて言語設定画面３１ｃをディスプレイ３１に表示させる。図４は、第１実施形態に係る操作表示部３０の言語設定画面３１ｃと検索画面３１ｄの一例を示す説明図である。言語設定画面３１ｃは、メニュー言語として英語、イタリア語、ドイツ語、スペイン語、フランス語及びポルトガル語のうちのいずれか１つを選択するための６個のアイコン３５ｄと、入力フィールド３９ｆと、検索ボタン３９ｂとを有している。入力フィールド３９ｆ及び検索ボタン３９ｂは、言語設定画面３１ｃがユーザーの期待した入力画面でなかった場合に、再度検索することを可能としている。なお、６個のアイコン３５ｄは、メニュー言語として設定されている各言語で併記されていることが好ましい。たとえば英語は、「英語（English）」のように併記されていることが好ましい。また、言語設定画面３１ｃは、検索によらずに表示される場合には、入力フィールド３９ｆ及び検索ボタン３９ｂを含まない。
【００２２】
ステップＳ６０では、ユーザーは、この例では、メニュー言語として英語を選択する。制御部１０の個別設定処理部１２は、メニュー言語としての英語の選択を設定値データベース４１に格納するとともに、メニュー言語を英語に変更する（ステップＳ７０）。個別設定処理部１２は、さらに、設定値データベース４１において、検索画面３１ｂの属性情報として、「言語」の検索キーワードで言語設定画面３１ｃがヒットし、メニュー言語として英語が選択されたことと、ログイン名とを記録する。この記録は、このログイン名でログインされた場合に使用されることになる。
【００２３】
ステップＳ８０では、制御部１０の個別設定処理部１２は、設定値データベース４１の記録に基づいて検索画面３１ｂにアイコン３５ｄを追加して検索画面３１ｄとする。アイコン３５ｄは、メニュー言語として英語を選択するためのアイコンである。アイコン３５ｄの近傍には、スクロールアイコン３６ｄが表示されている。スクロールアイコン３６ｄは、言語設定画面３１ｃを表示するためのアイコンである。これらのアイコン３５ｄ，３６ｄは、上述の処理を実行したログイン名でログインすると、自動的に検索画面３１ｂに追加されて検索画面３１ｄとして表示されることになる。
【００２４】
これにより、母国語が英語のユーザーは、システムメニュー画面３１ａにおいて検索のアイコン３５ａ１（図３（ａ））をタッチすれば、検索キーワードを入力しなくても現れる英語のアイコン３５ｄ（図４（ｂ））をタッチするだけでメニュー言語を英語に変更することができる。一方、母国語が他の言語のユーザーは、システムメニュー画面３１ａにおいて検索のアイコン３５ａ１（図３（ａ））をタッチし、アイコン３６ｄ（図４（ｂ））をタッチするだけで言語設定画面３１ｃ（図４（ａ））を表示させることができる。
【００２５】
このように、第１実施形態では、ユーザーがメニュー言語の変更を望んだ場合に、システムメニュー画面３１ａにおいて、検索のアイコン３５ａ１（図３（ａ））をタッチして、現れた検索画面３１ｂの入力フィールド３９ｆに「言語」という検索キーワードを入力するだけで言語設定画面３１ｃ（図４（ａ））を表示させることができる。本実施形態は、メニューとして機能する入力画面の数が多く、入力画面の階層化が深いほど顕著な効果を奏することができる。
【００２６】
さらに、本実施形態は、検索画面３１ｂの使用によって到達した入力画面（この例では、言語設定画面３１ｃ）で設定を変更した場合には、同様の処理を行うためのアイコン３５ｄ，３６ｄを検索画面３１ｂに追加して検索画面３１ｄ（図４（ｂ））としている。これにより、言語設定画面３１ｃへのアクセスが容易となるので、本実施形態は、さらに操作性を向上させることができる。
【００２７】
Ｂ．第２実施形態：
図５は、第２実施形態に係る操作手順を示すフローチャートである。第２実施形態に係る操作手順は、第１実施形態に係る画像形成装置１に適用可能である。画像形成装置１では、階層構造を有する複数の入力画面を使用して操作が行われる。第２実施形態に係る操作手順は、階層構造を動的に変更するために、ステップＳ５０〜８０がステップＳ５０ａ〜８０ａに変更されている点で第１実施例と相違し、他の工程で共通する。
【００２８】
図６は、第２実施形態に係る画像形成装置１の初期設定におけるメニュー階層Ｈ１の一例を示す説明図である。このメニュー階層は、複数の入力画面の階層構造の一例として４つの階層から構成されている階層構造の一部分を示している。第１階層には、階層構造の頂点としてシステムメニュー画面が配置されている。第２階層には、階層構造の一部として共通設定が配置されている。第３階層には、階層構造の一部として言語設定と機能設定とが配置されている。第４階層には、階層構造の一部としてＯＣＲ言語初期設定が配置されている。なお、説明の簡略化の観点からホーム画面は階層構造から省略されている。
【００２９】
第３階層の言語設定の入力画面は、メニュー言語として、英語、イタリア語、ドイツ語、スペイン語、フランス語及びポルトガル語のうちのいずれか１つの選択を可能としている。第４階層のＯＣＲ言語初期設定は、ＯＣＲ解析対象の初期設定言語として、英語、英語＋イタリア語、英語＋ドイツ語、英語＋スペイン語、英語＋フランス語及び英語＋ポルトガル語のうちのいずれか１つの選択を可能としている。
【００３０】
図７は、第２実施形態に係るシステムメニュー画面３１ａと検索画面３１ｅの一例を示す説明図である。システムメニュー画面３１ａは、ログインの完了に応じて表示される（ステップＳ１０）。制御部１０は、図７(ａ)に示される検索のアイコン３５ａ１へのタッチに応じて、図７(ｂ)に示される検索画面３１ｅをディスプレイ３１に表示させる（ステップＳ２０）。
【００３１】
ステップＳ３０では、ユーザーは、検索キーワードとして「イタリア語」を入力する。検索キーワードの入力方法は、前述のようにたとえば入力フィールド３９ｆをタッチすると、入力フィールド３９ｆの下側にキーボード（図示せず）が表示される構成でも良い。図７(ｂ)に示される一例では、入力フィールド３９ｆには、検索キーワードとして「Ｉｔａｌｉａｎｏ（イタリア語）」が入力されている。
【００３２】
ステップＳ４０では、制御部１０の検索処理部１１は、設定値データベース４１を検索する。この例では、検索処理部１１による「イタリア語」の検索キーワードによる検索で、第３階層の言語設定と第４階層のＯＣＲ言語初期設定の２つがヒットした場合を想定する。なお、図７(ｂ)には、多数のアイコンが発生した場合を想定してスクロールアイコン３７ｅを表示しても良いし、１画面で表示可能な上位数件だけを表示するように構成してもよい。
【００３３】
ステップＳ５０ａでは、制御部１０は、検索画面３１ｅに２組のアイコン３５ｅ，３６ｅ，３５ｆ，３６ｆをディスプレイ３１に表示させる。２組のアイコン３５ｅ，３６ｅ，３５ｆ，３６ｆは、メニュー言語としてイタリア語を選択するためのアイコン３５ｅと、ＯＣＲの解析対象の初期設定の言語としてイタリア語を選択するためのアイコン３５ｆとを含んでいる。アイコン３６ｅは、言語設定の入力画面３１ｃ（図４（ａ））を表示させるためのアイコンである。アイコン３６ｆは、ＯＣＲの解析対象の初期設定の入力画面（図示せず）を表示させるためのアイコンである。
【００３４】
このように、本実施形態では、検索によってイタリア語に関連する機能のアイコン３５ｅ，３５ｆが検索画面３１ｅに表示されるので、一つの画面で簡易に設定することができる。仮に検索画面３１ｅを使用しなかった場合には、システムメニューから共通設定を経て言語設定の階層まで移動した上でメニュー言語（言語設定）をイタリア語に設定し、その後、共通設定まで戻った後に機能設定を介してＯＣＲの解析対象の初期設定の入力画面（図示せず）の階層まで移動してイタリア語に設定する必要がある。
【００３５】
ステップＳ６０ａでは、ユーザーは、この例では、メニュー言語（言語設定）としてイタリア語を選択する一方、ＯＣＲ言語については操作入力を行わないものとする。制御部１０の個別設定処理部１２は、メニュー言語としてのイタリア語の選択を設定値データベース４１に格納するとともに、メニュー言語をイタリア語に変更する（ステップＳ７０ａ）。個別設定処理部１２は、さらに、設定値データベース４１において、検索画面３１ｂ（図３（ｂ））の属性情報として、「イタリア語」の検索キーワードで言語設定画面３１ｃ（図４（ａ））がヒットし、メニュー言語としてイタリア語が選択されたことと、ログイン名とを記録する。一方、ＯＣＲの解析対象の初期設定の入力画面についてはデータの変更は行われない。
【００３６】
図８は、第２実施形態に係る検索後におけるメニュー階層Ｈ２の一例を示す説明図である。メニュー階層Ｈ２では、第１階層は、階層構造の頂点としてシステムメニュー画面が配置されている点で上述のメニュー階層Ｈ１と共通する。ただし、第２階層は、階層構造の一部として共通設定だけでなく言語設定も配置されている点で上述のメニュー階層Ｈ１と相違する。第３階層は、言語設定が維持され、機能設定が配置されている点で上述のメニュー階層Ｈ１と共通する。第４階層は、階層構造の一部としてＯＣＲ言語初期設定が配置されている点で上述のメニュー階層Ｈ１と共通する。第３階層に言語設定が維持されるので、従来の操作方法での設定が階層構造の変更後も確保されることになる。
【００３７】
ステップＳ８０ａでは、制御部１０は、メニュー階層Ｈ２に基づいて構成されたシステムメニュー画面３１ｆをディスプレイ３１に表示させる。図９は、第２実施形態に係るシステムメニュー画面３１ｆへの変化を示す説明図である。システムメニュー画面３１ｆでは、検索前において外部メモリーのアイコン３５ａ２が言語設定のアイコン３５ｇよりも優先順位が低いとして、検索後においては言語設定のアイコン３５ｇに変更されている。外部メモリーのアイコン３５ａ２は、たとえばスクロールアイコン３７ａをタッチすることで表示させることができる。なお、図９（ｂ）では、日本語でメニューが表示されているが、実際には、この時点でイタリア語での表示に変更されることになる。
【００３８】
このように、第２実施形態では、ユーザーがメニュー言語の変更を望んだ場合には、システムメニュー画面３１ｆに言語設定のアイコン３５ｇが現れるので、言語設定のアイコン３５ｇをタッチするだけで言語設定画面３１ｃを表示させることができる。本実施形態も、入力画面の数が多く、階層化が深いほど顕著な効果を奏することができる。なお、システムメニュー画面３１ａは、初期入力画面とも呼ばれ、任意に設定可能である。
【００３９】
Ｃ．変形例：本発明は、上記実施形態だけでなく、以下のような変形例でも実施することができる。
【００４０】
変形例１：上記実施形態は、ログイン名毎に入力画面の内容や階層の変更を管理しているが、ログイン機能を備えない画像形成装置にも本発明を適用することができる。
【００４１】
変形例２：上記実施形態では、検索キーワードとして言語に関連するキーワードが使用されているが、任意の検索キーワードの使用が可能である。
【００４２】
変形例３：上記実施形態では、画面データの一部として、入力画面の属性を表す属性キーワードが入力画面毎に設定値データベースに格納されているが、必ずしも設定値データベースは必要ない。たとえば入力画面を表示するために画面データに含まれているテキストデータを属性キーワードとして使用してもよい。
【００４３】
変形例４：上記実施形態は、検索キーワードでヒットした入力画面において実際に入力（操作入力）が受け付けられた場合に、次回以降も入力画面の内容や階層が変更（浅く）されるように構成されているが、たとえば検索でヒットしただけで入力画面の内容や階層が変更されるように構成してもよい。
【００４４】
変形例５：上記実施形態では、複数の入力画面が階層構造を有する例が開示されているが、必ずしも階層構造を有する必要はない。たとえばスクロールで複数の入力画面のいずれかを選択するような構成において、操作入力としてのスクロールの回数を減らすように構成してもよい。本発明は、検索結果に基づいて入力画面を表示し、あるいは入力画面を表示するための操作入力を削減するもの、あるいは双方でもよい。
【００４５】
変形例６：上記実施形態は、画像形成装置に本発明を適用しているが、他の電子機器にも本発明は適用可能である。
【符号の説明】
【００４６】
１  画像形成装置
１０  制御部
１１  検索処理部
１２  個別設定処理部
２０  画像形成部
３０  操作表示部
３１  ディスプレイ
３１ａ，３１ｆ  システムメニュー画面
３１ｂ，３１ｄ，３１ｅ  検索画面
３１ｃ  言語設定画面
３２  操作処理部
３５ａ，３５ｄ，３５ｅ，３５ｆ，３５ｇ  アイコン
３６ａ，３７ａ  スクロールアイコン
３８ａ  ログアウトボタン
３９ｂ  検索ボタン
３９ｆ  入力フィールド
４０  記憶部
４１  設定値データベース
４２  ボックス
５０  外部ＩＦ部
６０  ファックス送受信部
【図１】
0006350879.tif 000002
【図２】
0006350879.tif 000003
【図３】
0006350879.tif 000004
【図４】
0006350879.tif 000005
【図５】
0006350879.tif 000006
【図６】
0006350879.tif 000007
【図７】
0006350879.tif 000008
【図８】
0006350879.tif 000009
【図９】
0006350879.tif 000010